(57)【特許請求の範囲】
【請求項１】
本体に設けられる装着部に装着される記録媒体に記録される情報を読み出す読み出し手段と、
上記読み出し手段により読み出された情報を蓄積する記憶手段と、
上記読み出し手段により読み出された情報を上記記憶手段に記憶する際の記録速度を検出する検出手段と、
上記検出手段に応じて課金処理を行う課金手段と、
上記課金手段により正常に課金処理されたか否かを判別する課金判別手段と、上記検出手段の検出結果により上記課金手段による課金処理が必要であると判別されると共に上記課金判別手段により課金処理が異常終了と判別されると上記読み出し手段により読み出された情報の上記記憶手段への記録を禁止する記録禁止手段と
を備えること
を特徴とする記録再生装置。
【請求項２】
上記本体に対して遠隔地の課金センタに接続されているか否かを判別する接続判別手段をさらに備え、
上記課金手段は、上記検出手段に応じて上記課金センタに接続されることにより課金処理を行う機能を有し、
上記記録禁止手段は、上記検出手段の検出結果より上記課金手段による課金処理が必要であると判別されると共に上記接続判別手段により接続状態が異常と判別されると、上記読み出し手段により読み出された情報の上記記憶手段への記録を禁止すること
を特徴とする請求項１記載の記録再生装置。
【請求項３】
上記本体に対して遠隔値の課金センタと所定データの送受信を行うことにより接続状態を判別する送受信接続判別手段をさらに備え、
上記課金手段は、上記検出手段に応じて上記課金センタに接続されることにより課金処理を行う機能を有し、
上記記録禁止手段は、上記検出手段の検出結果より上記課金手段による課金処理が必要であると判別されると共に上記送受信接続判別手段により上記送受信を行い確認した接続状態が異常と判別されると、上記読み出し手段により読み出された情報の上記記憶手段への記録を禁止すること
を特徴とする請求項１記載の記録再生装置。
【請求項４】
上記課金センタと所定データの送受信を行うことにより接続状態を判別する送受信接続判別手段をさらに備え、
上記検出手段の検出結果より上記課金手段による課金処理が必要であると判別し、上記接続判別手段により接続状態が正常と判別し、上記送受信接続判別手段により上記送受信を行い確認した接続状態が正常と判別し、且つ上記課金判別手段が課金処理が正常終了したと判別したときに、上記読み出し手段により読み出された情報を上記記憶手段に記録すること
を特徴とする請求項２記載の記録再生装置。
【請求項５】
本体に設けられる装着部に装着される記録媒体に記録される情報を読み出す読み出し工程と、
上記読み出し工程により読み出された情報を蓄積する記憶工程と、
上記読み出し工程により読み出された情報を上記記憶工程に記憶する際の記録速度を検出する検出工程と、
上記検出工程に応じて課金処理を行う課金工程と、
上記課金工程により正常に課金処理されたか否かを判別する課金判別工程と、上記検出工程の検出結果により上記課金手段による課金処理が必要であると判別されると共に上記課金判別工程により課金処理が異常終了と判別されると上記読み出し工程により読み出された情報の上記記憶工程への記録を禁止する記録禁止工程と
を有すること
を特徴とする記録再生方法。
【請求項６】
本体に対して遠隔地に設置されている課金センタと、
上記本体に設けられる装着部に装着される記録媒体に記録される情報を読み出す読み出し手段と、
上記読み出し手段により読み出された情報を蓄積する記憶手段と、
上記読み出し手段により読み出された情報を上記記憶手段に記憶する際の記録速度を検出する検出手段と、
上記検出手段に応じて上記課金センタに対する課金処理を行う課金手段と、
上記課金手段により正常に課金処理されたか否かを判別する課金判別手段と、上記検出手段の検出結果により上記課金手段による課金処理が必要であると判別されると共に上記課金判別手段により課金処理が異常終了と判別されると上記読み出し手段により読み出された情報の上記記憶手段への記録を禁止する記録禁止手段と
を備えること
を特徴とする記録再生システム。
【請求項７】
上記課金センタに接続されているか否かを判別する接続判別手段をさらに備え、
上記記録禁止手段は、上記検出手段の検出結果より上記課金手段による課金処理が必要であると判別されると共に上記接続判別手段により接続状態が異常と判別されると、上記読み出し手段により読み出された情報の上記記憶手段への記録を禁止すること
を特徴とする請求項６記載の記録再生システム。
【請求項８】
上記課金センタと所定データの送受信を行うことにより接続状態を判別する送受信接続判別手段をさらに備え、
上記記録禁止手段は、上記検出手段の検出結果より上記課金手段による課金処理が必要であると判別されると共に上記送受信接続判別手段により上記送受信を行い確認した接続状態が異常と判別されると、上記読み出し手段により読み出された情報の上記記憶手段への記録を禁止すること
を特徴とする請求項６記載の記録再生システム。
【請求項９】
上記課金センタと所定データの送受信を行うことにより接続状態を判別する送受信接続判別手段をさらに備え、
上記検出手段の検出結果より上記課金手段による課金処理が必要であると判別し、上記接続判別手段により接続状態が正常と判別し、上記送受信接続判別手段により上記送受信を行い確認した接続状態が正常と判別し、且つ上記課金判別手段が課金処理が正常終了したと判別したときに、上記読み出し手段により読み出された情報を上記記憶手段に記録すること
を特徴とする請求項７記載の記録再生システム。
【発明の詳細な説明】
【０００１】
【発明の属する技術分野】
本発明は、記録媒体に対して情報を記録及び再生する記録再生装置及び方法並びに記録再生システムに関し、詳しくは、所定の記録媒体から読み出される情報を本体に設けられる記憶手段に移動、或いは複製し、その情報を再生蓄積すると共にその情報を再生する記録再生装置及び方法並びに記録再生システムに関する。
【０００２】
【従来の技術】
従来より、記録再生装置に内蔵される記憶手段に所定の記録媒体に記録される情報をコピーするようなものは知られている。例えば、記録再生装置は、音楽情報、映像情報を、内蔵する記憶手段に記憶するように構成されている。
【０００３】
【発明が解決しようとする課題】
ところで、光ディスク及び磁気テープに記録されているオーディオ情報及び映像情報を他の記録媒体にコピーすることが著作権上問題とされる場合がある。
【０００４】
また、近年においては、オーディオ情報が上記光ディスク等にディジタル信号として記録される場合が多く、コピーに際して、アナログ信号よりも劣化の少ないディジタル信号にあっては、さらに、著作権の問題を厳格に受けとめる傾向にある。
【０００５】
このようなことから、例えば、記録媒体からオーディオ情報等をコピーする場合に、課金処理することで著作物とされる上記オーディオ情報等を保護できると考えられる。
【０００６】
ところで、ディジタル信号とされたオーディオ情報は、圧縮されて記録媒体に記録されている場合がある。このように圧縮されたオーディオ情報のコピーには、いったんデコードしてから、再エンコードして他の記録媒体に記録することが行われる。しかし、このような手順でコピーを行ったのでは、コピーされたオーディオ情報が劣化されたものとなる。しかし、圧縮状態のままコピーを行えば、高速コピーを可能にしつつ、オーディオ情報の劣化を防止することができる。
【０００７】
そこで、本発明は、上述の実情に鑑みてなされたものであり、高速で情報のコピー、或いは移動を行なう際、課金処理を行うことができる記録再生装置及び方法並びに記録再生システムの提供を目的とする。
【０００８】
【課題を解決するための手段】
本発明に係る記録再生装置は、上述の課題を解決するために、本体に設けられる装着部に装着される記録媒体に記録される情報を読み出す読み出し手段と、読み出し手段により読み出された情報を蓄積する記憶手段と、読み出し手段により読み出された情報を記憶手段に記憶する際の記録速度を検出する検出手段と、検出手段に応じて課金処理を行う課金手段と、課金手段により正常に課金処理されたか否かを判別する課金判別手段と、検出手段の検出結果により課金手段による課金処理が必要であると判別されると共に上記課金判別手段により課金処理が異常終了と判別されると読み出し手段により読み出された情報の記憶手段への記録を禁止する記録禁止手段とを備える。
【０００９】
この記録再生装置は、本体に設けられる装着部に装着される記録媒体から読み出し手段により読み出された情報を、記憶手段に記憶する際の記録速度を検出手段により検出する。さらに、記録再生装置は、検出手段に応じて課金処理を行う課金手段により正常に課金処理されたか否かを課金判別手段により判別する。
【００１０】
そして、記録再生装置は、検出手段の検出結果により課金手段による課金処理が必要であると判別されると共に課金判別手段により課金処理が異常終了と判別されると、記録禁止手段により、読み出し手段により読み出された情報の記憶手段への記録を禁止する。
【００１１】
これにより、記録再生装置は、記録速度に応じて課金処理を行い、さらに、課金処理が正常に行われなかった場合には、記憶媒体から記憶手段への情報の記録を禁止する。
【００１２】
また、本発明に係る記録再生方法は、上述の課題を解決するために、本体に設けられる装着部に装着される記録媒体に記録される情報を読み出す読み出し工程と、読み出し工程により読み出された情報を蓄積する記憶工程と、読み出し工程により読み出された情報を記憶工程に記憶する際の記録速度を検出する検出工程と、検出工程に応じて課金処理を行う課金工程と、課金工程により正常に課金処理されたか否かを判別する課金判別工程と、検出工程の検出結果により上記課金手段による課金処理が必要であると判別されると共に課金判別工程により課金処理が異常終了と判別されると読み出し工程により読み出された情報の記憶工程への記録を禁止する記録禁止工程とを有する。
【００１３】
この記録再生方法は、本体に設けられる装着部に装着される記録媒体から読み出し工程において読み出された情報を、記憶工程において記憶する際の記録速度を検出工程において検出する。さらに、記録再生方法は、検出工程の検出結果に応じて課金処理を行う課金工程において正常に課金処理されたか否かを課金判別工程により判別する。
【００１４】
そして、記録再生方法は、検出工程の検出結果により課金工程における課金処理が必要であると判別されると共に課金判別工程により課金処理が異常終了と判別されると、記録禁止工程において、読み出し工程により読み出された情報の記憶工程における記録を禁止する。
【００１５】
これにより、記録再生方法は、記録速度に応じて課金処理を行い、さらに、課金処理が正常に行われなかった場合には、記憶媒体から記憶手段への情報の記録を禁止する。
【００１６】
また、本発明に係る記録再生システムは、上述の課題を解決するために、本体に対して遠隔地に設置されている課金センタと、本体に設けられる装着部に装着される記録媒体に記録される情報を読み出す読み出し手段と、読み出し手段により読み出された情報を蓄積する記憶手段と、読み出し手段により読み出された情報を記憶手段に記憶する際の記録速度を検出する検出手段と、検出手段に応じて課金センタに対する課金処理を行う課金手段と、課金手段により正常に課金処理されたか否かを判別する課金判別手段と、検出手段の検出結果により課金手段による課金処理が必要であると判別されると共に課金判別手段により課金処理が異常終了と判別されると読み出し手段により読み出された情報の記憶手段への記録を禁止する記録禁止手段とを備える。
【００１７】
この記録再生システムは、本体に設けられる装着部に装着される記録媒体から読み出し手段により読み出された情報を、記憶手段に記憶する際の記録速度を検出手段により検出する。さらに、記録再生システムは、検出手段に応じて本体に対して遠隔地に設置されている課金センタに対する課金処理を行う課金手段により正常に課金処理されたか否かを課金判別手段により判別する。
【００１８】
そして、記録再生システムは、検出手段の検出結果により課金手段による課金処理が必要であると判別されると共に課金判別手段により課金処理が異常終了と判別されると、記録禁止手段により、読み出し手段により読み出された情報の記憶手段への記録を禁止する。
【００１９】
これにより、記録再生システムは、記録速度に応じて課金センタとの間で課金処理を行い、さらに、課金センタとの間で課金処理が正常に行われなかった場合には、記憶媒体から記憶手段への情報の記録を禁止する。
【００２０】
【発明の実施の形態】
本発明の実施の形態について図面を用いて詳しく説明する。この実施の形態は、所定の記録媒体から読み出されたオーディオ情報ファイルを本体に設けられる記憶手段に移動、或いは複製し、そのオーディオ情報ファイルを再生蓄積すると共にその情報を再生する記録再生装置である。
【００２１】
記録再生装置は、図１に示すように、本体に設けられる装着部３に装着される記録媒体に記録される情報を読み出す読み出し部４と、読み出し部４により読み出された情報を蓄積する記憶部５と、読み出し部４により読み出された情報を記憶部５に記憶する際の記録速度を検出する検出手段７と、検出手段７に応じて課金処理を行う課金手段である課金処理部６と、課金処理部６により正常に課金処理されたか否かを判別する課金判別手段８と、検出手段７の検出結果により課金処理部６による課金処理が必要であると判別されると共に課金判別手段８により課金処理が異常終了と判別されると読み出し部４により読み出された情報の記憶部５への記録を禁止する記録禁止手段１２とを備えている。
【００２２】
そして、記録再生装置１には、接続判別手段９及び送受信接続判別手段１０が備られており、上記課金判別手段８とともに判別部１１を構成している。そして、記録再生装置１において、ＣＰＵ１３が、判別部１１、検出手段７及び記録禁止手段１２の機能を備えている。
【００２３】
この記録再生装置１は、上記各部及び各手段がバス１４に接続されて、データの送受信等を行っている。そして、この記録再生装置１は、遠隔地にある課金センタ１５に接続されている。
【００２４】
以下、記録再生装置を構成する各部について詳しくに説明する。
上記光ディスクが装着される装着部３と、その光ディスクに記録されているオーディオ情報ファイルを読み出す光ピックアップ等からなる読み出し部４とは、光ディスクドライブ２に備えられている。この光ディスクドライブ２は、当該光ディスクドライブ２に装着された光ディスクから１倍速或いはより高速、例えば８倍速、１６倍速で光ディスクに記憶される情報が読み出すように構成されている。
【００２５】
この光ディスクドライブ２の読み出し部４により読み出されたオーディオ情報ファイルは、エンコードされるか或いはそのまま記憶部５に記憶される。
【００２６】
記憶部５は、送られてくる情報を一時記憶可能な記憶手段として構成されている。例えば、記憶部５は、ハードディスクドライブ、フラッシュＲＡＭ等である。  上記課金処理部６は、遠隔地の上記課金センタ１５と接続されている。そして、課金処理部６は、例えばユーザの要求する情報の課金処理、或いはユーザが上記光ディスクドライブ２により読み出される情報を記憶部５に高速でコピー或いは移動する場合に自動的に課金処理を行うように構成されている。
【００２７】
ここで、記録再生装置１が行う光ディスクドライブ２から記憶部５への情報の移動とは、光ディスクドライブ２に装着されている記録媒体から記憶部５へ情報を書き込むとともに、当該情報に関しては、光ディスクドライブ２における再生が禁止され、記憶部５に記憶された当該情報が再生可能とされるようにすることをいう。具体的には、光ディスクドライブ２における記録媒体の再生の禁止は、当該記録媒体に記録されている情報に再生禁止フラグを立て、或いは、当該記録媒体に記録されている情報を消去することにより行う。
【００２８】
なお、記録再生装置５０のハードディスクドライブ６０に記録されているオーディオ情報ファイルに再生禁止フラグを立てることにより、当該記録再生装置５０におけるオーディオ情報ファイルの再生を禁止しているが、転送終了後にハードディスクドライブ６０に記録されているオーディオ情報ファイルを削除することにより、記録再生装置５０における当該転送したオーディオ情報ファイルの再生を禁止することもできる。
【００２９】
上記検出手段７は、読み出し部４により読み出された情報を記憶部５にコピー或いは移動する際の速度を検出する部分である。このコピー或いは移動する際の速度はユーザが選択的に決定するものである。例えば、記録再生装置１は、図示しない入力手段に対してのユーザの操作により、コピー或いは移動する際の速度が選択される。そして、検出手段７は、コピーの速度が１倍速よりも高速な場合に、ユーザに対して上記課金処理が要求されるように制御する。
【００３０】
ここで、記録再生装置１の行う高速コピー或いは高速移動とは、通常の再生速度よりも速い速度により、コピー或いは移動を行うことであり、例えば、圧縮された情報をコピー或いは移動の対象としている場合、圧縮状態のまま当該情報をコピー或いは移動することをいう。すなわち、圧縮された情報をいったんデコードして、再エンコードしてコピー或いは移動することを考えた場合、デコード及び再エンコード等の処理を行うことなく圧縮状態のままコピー或いは移動することが高速コピー或いは高速移動と等価になる。さらに、圧縮状態のままでコピー或いは移動するは、当該コピーされ或いは圧縮された情報の劣化の防止につながる。
【００３１】
上記課金判別手段８は、ユーザが通常のコピー速度である１倍速よりも高速のコピーを選択した場合、正常に課金処理が行われているか否かを判別するように構成されている。上記接続判別手段９は、遠隔地の課金センタと記録再生装置１が接続されているか否かをメカ的なスイッチ等により判別するように構成されている。上記送受信接続判別手段１０は、課金センタ１５にリクエスト信号を送信し、そのリクエスト信号に対する返信が当該記録再生装置１により受信されることにより課金センタ１５との接続が正常だと判別するように構成されている。
【００３２】
上記記録禁止手段１２は、上記判別部１１を構成する課金判別手段８、接続判別手段９及び送受信判別手段１０による判別結果に応じて読み出し部４により読み出された情報の記憶部５への記録を禁止するように構成されている。
【００３３】
例えば、記録禁止手段１２は、課金判別手段８の判別結果を参照する場合においては、上述したように、検出手段７の検出結果により課金処理部６による課金処理が必要であると判別されると共に課金判別手段８により課金処理が異常終了と判別されると読み出し部４により読み出された情報の記憶部５への記録を禁止する。
【００３４】
以上のように記録再生装置１の各部は構成されている。次に、記録再生装置１による課金処理の一連の処理について図２に示すフローチャートを用いて説明する。
【００３５】
まず、記録再生装置１は、ステップＳ１において、装着部３に装着される光ディスク等の記憶媒体から記憶部５へのオーディオ情報ファイルのコピー或いは移動の要求がユーザから指示されているか否かを判別する。ここで、ユーザからコピー或いは移動の要求がされていることを確認した場合には、記録再生装置１は、ステップＳ２に進む。一方、ユーザからコピー或いは移動の要求がされていないことを確認した場合には、記録再生装置１は、当該ステップＳ１の判別を再び行う。すなわち、記録再生装置１は、ユーザからコピー或いは移動の要求がされたことを確認できるまでは上記ステップＳ１の判別処理を行い、ユーザからコピー或いは移動の要求がされたことを確認したとき、上記ステップＳ２に進む。
【００３６】
上記ステップＳ２において、記録再生装置１は、ユーザから要求されたコピー或いは移動が通常速度である１倍速よりも高速か否かを判別する。ここで、通常速度によるコピー或いは通常速度による移動の場合には、記録再生装置１は、ステップＳ５の処理にジャンプする。一方、上記ユーザからの要求が高速コピー或いは高速移動であることを確認した場合には、記録再生装置１は、ステップＳ３に進む。
【００３７】
上記ステップＳ３において、記録再生装置１は、課金処理部６により課金処理を開始する。そして、次にステップＳ４において、記録再生装置１は、課金判別手段８によりこの課金処理が正常に終了したか否かを判別する。或いは、課金センタ１５と物理的に接続されているか否かをモジュラ等に設けたスイッチ機構の検出により行う接続判別手段９により接続されているか否かを判別する。或いは、物理的な接続が確認された場合においても他のネットワークに接続されることにより正常な接続と判別される虞があるので、更に課金センタ１５と情報の授受を行い、送受信接続判別手段１０により接続されているか否かを判別する。
【００３８】
このステップＳ４において、記録再生装置１は、肯定的判断をした場合、すなわち課金処理が正常と判断した場合にはステップＳ５に進み、否定的判断をした場合、すなわち課金処理が異常と判断した場合にはステップＳ７に進む。
【００３９】
上記ステップＳ５では、記録再生装置１は、コピー或いは移動を処理を開始し、続くステップＳ６において、当該コピー或いは移動を終了する。なお、このステップＳ５からステップＳ６の処理については、上記ステップＳ２においてユーザが要求したコピー或いは移動が通常速度で行うこととされた場合に、当該ステップＳ２の次に実行される処理でもある。
【００４０】
一方、上記ステップＳ７では、記録再生装置１は、コピー或いは移動が禁止されるように制御する。ここで、コピー或いは移動を禁止させる制御は、例えば、強制的にコピー或いは移動処理を終了させる制御である。或いは、このコピー或いは移動が禁止されるような制御として、記憶部５へのオーディオ情報ファイルのコピー或いは移動処理を完了させてから、当該記憶部５に記憶されているオーディオ情報ファイルに再生禁止のフラグを添付し、再生のみを禁止するように構成することもできる。
【００４１】
このように記録再生装置１を構成することにより、課金処理が行われないときには高速のコピー或いは移動を禁止している。これにより、記録再生装置１は、オーディオ情報ファイルの違法なコピーを防止することができる。
【００４２】
そして、この記録再生装置１は、上述したように、接続判別手段９により接続状態を確認して、課金処理が正常か否かを判別している。これにより、記録再生装置１は、物理的に接続されているか否かを判別しているので、例えば、送受信によって課金センタ１５との接続状態を確認するよりも短い時間で、接続状態を確認することができ、課金処理が正常に実行されたか否かを短時間で判別することができる。
【００４３】
また、この記録再生装置１は、上述したように、送受信接続判別手段１０により課金センタ１５との送受信により接続状態を確認して、課金処理が正常か否かを判別している。これにより、記録再生装置１は、他のネットワークに接続されることもなく、所望のネットワークにおいて課金処理を行うことができる。
【００４４】
なお、上記図２に示すステップＳ４については、図３に示すように一連の工程により判別処理を行うこともできる。
【００４５】
すなわち、記録再生装置１は、ステップＳ４−１において、接続判別手段９により、物理的な接続が正常か否かを判別する。ここで、記録再生装置１は、接続が正常なことを確認した場合には、ステップＳ４−２へ進み、また、接続が正常でないことを確認した場合には、上記ステップＳ７に進む。
【００４６】
上記ステップＳ４−２では、記録再生装置１は、送受信接続判別手段１０により、課金センタ１５との情報の授受を行い、所望のネットワークと正常な接続状態にあるか否かを判別する。ここで、記録再生装置１は、接続が正常なことを確認した場合には、ステップＳ４−３に進み、また、接続が正常でないことを確認した場合には、上記ステップＳ７に進む。
【００４７】
上記ステップＳ４−３では、記録再生装置１は、課金判別手段８により、課金処理が正常に終了したか否かを判別する。ここで、記録再生装置１は、課金処理が正常に終了したことを確認した場合には、上記ステップＳ５に進み、高速で情報のコピー或いは移動を開始する。一方、課金処理の終了が正常でないことを確認した場合には、記録再生装置１は、上記ステップＳ７に進む。
【００４８】
このような手順によって課金処理が正常か否かを確認することにより、記録再生装置１は、課金処理が正常に実行されたことを確認することができるようになる。
【００４９】
なお、上述した実施の形態において、コピー或いは移動の処理について説明したが、消去、名前の書き換え等のファイルの処理においても課金処理することもできる。
【００５０】
このように構成される記録再生装置１についてより具体的な例として、図４乃至図６を用いて説明する。この図４乃至図６に示す記録再生装置５０は、課金処理したオーディオ情報ファイルを例えば携帯型の他の記録再生装置にコピー或いは移動することができるように構成されている。
【００５１】
この記録再生装置５０は、入力手段５１を備えている。この入力手段５１には、プッシュ式又は回転式が設けられている。なお、入力手段５１には、いわゆるジョグダイアルとされる回転プッシュ式を設けることもできる。そして、この入力手段５１は、操作されることにより、記録再生装置５０の動作を制御するための制御信号を出力し、記録再生装置５０は、この制御信号に応じて動作が制御される。
【００５２】
また、記録再生装置５０は、キーボード５２を備えている。キーボード５２は、押圧操作によって操作され、当該操作に応じて信号を出力するように構成されている。これにより、例えば記録されるオーディオ情報に対応する曲名、アーティスト名簿の入力が容易にすることができる。そして、このキーボード５２からの信号は、赤外線インターフェースドライバ５３及びＵＳＢ（universal serial bus）ドライバ５４により、記録再生装置５０に入力可能とされている。ここで、赤外線インターフェースドライバ５３は、赤外線によってインターフェースを可能とするものである。
【００５３】
なお、この赤外線インターフェースドライバ５３及びＵＳＢドライバ５４を介して、キーボード５２から記録再生装置へデータ転送を行うこともできる。
【００５４】
また、記録再生装置５０は、ＣＰＵ５８によって当該記録再生装置５０全体の動作の制御を行うためにＲＡＭ５５、ＲＯＭ５６及びフラッシュＲＡＭ５７を備えている。具体的には、ＲＯＭ５６には、入力手段５１が操作されることにより入力される入力信号に応じて当該記録再生装置の動作を制御するプログラム等が記憶されている。また、ＲＡＭ５５及びフラッシュＲＡＭ５７には、プログラムを実行する上でのデータ領域、タスク領域が一時的に確保されている。
【００５５】
なお、上記ＣＰＵ５８は、上述した記録再生装置１のＣＰＵ１３に対応して構成されている。すなわち、ＣＰＵ５８は、上記課金判別手段８、上記接続判別手段９及び送受信接続判別手段１０によって構成される判別部１１と、上記検出手段７と、上記記録禁止手段１２とされる機能を有している。
【００５６】
さらに、記録再生装置５０は、光ディスクドライブ５９を備えている。この光ディスクドライブ５９は、上述した記録再生装置１の光ディスクドライブ９に対応するものである。すなわち、光ディスクドライブ５９は、記録媒体とされる光ディスクの装着部と、当該装着部に装着された光ディスクに記録されているオーディオ情報ファイルの読み出しのための読み出し部とを備えている。
【００５７】
この光ディスクドライブ５９は、当該光ディスクドライブ５９に装着された光ディスクから１倍速或いはより高速、例えば８倍速、１６倍速で光ディスクに記憶される情報が読み出せるように構成されている。この光ディスクドライブ５９から読み出されるオーディオ情報ファイルを記憶するためにハードディスクドライブ（Hard Disk Drive；ＨＤＤ）６０が設けられている。
【００５８】
また、記録再生装置５０は、エンコーダ６２を備えている。エンコーダ６２は、バス上に転送さるデータをエンコードするように構成されている。このエンコーダ６２は、エンコードアルゴリズムとして、例えば、ＡＴＲＡＣ２（Adaptive TRansform Acoustic Coding ２；商標）を有して構成されている。
【００５９】
そして、記録再生装置５０は、オーディオ用ＤＲＡＭ６１を備えている。オーディオ用ＤＲＡＭ６１は、各種情報を記憶する部分として構成されている。例えば、オーディオ用ＤＲＡＭ６１は、光ディスクから読み出されたオーディオ情報を一時記憶する部分とされている。
【００６０】
上記ハードディスクドライブ６０は、上記図１に示す記録再生装置１の記憶部５に対応される部分であり、上述にようにオーディオ情報が記憶される部分である。このハードディスクドライブ６０にオーディオ情報が記憶される前処理として、上記オーディオ用ＤＲＡＭ６１に光ディスクから読み出されたオーディオ情報が記憶されるとともに、そのオーディオ情報が上記エンコーダ６２によりエンコードされた情報がオーディオ用ＤＲＡＭ６１に再び一時記憶され、最終的に、ハードディスクドライバ６０に上記エンコードされたオーディオ情報が蓄積される。
また、記録再生装置５０は、マイクロホン６３及びライン入力用のラインＩＮ６５を備えている。記録再生装置５０において、マイクロホン６３からアンプ６４を介してオーディオ信号が入力され、或いは、ラインＩＮ６５からオーディオ信号が入力され、当該入力されたオーディオ信号がＡ／Ｄコンバータ６６によりディジタル変換される。なお、上記エンコーダ６２は、このマイクロホン６３及びアンプ６４を介して入力されるオーディオ信号に対して、或いは、ラインＩＮ６５及びＡ／Ｄコンバータ６６を介して入力されるオーディオ信号に対してもエンコードするように構成されている。
【００６１】
また、記録再生装置５０は、光ディジタルＩＮ６７及びＩＥＣ９５８（International Electrotechnical Commission 958）エンコーダ６８を備えている。光ディジタルＩＮ６７は、当該記録再生装置５０への光ディジタル入力を可能にするように構成されている。この光ディジタルＩＮ６７からの光ディジタル情報がＩＥＣ９５８エンコーダ６８を介してエンコーダ６２に入力されるように構成されている。
【００６２】
さらに、記録再生装置５０は、モデム７０を備えている。モデム７０は、外部ネットワーク６９であるインターネット、テレネットワーク、ケーブルＴＶ、ワイヤレスネットワーク等に接続可能なインターフェースとされる。このモデム７０を介することにより、記録再生装置５０は、遠隔地のサーバにリクエスト信号、或いは光ディスクドライブ５９に装着されるメディア情報、ユーザＩＤ、ユーザ情報及び上述した課金処理のための情報を送出することができる。
【００６３】
また、モデム７０により、記録再生装置５０は、外部ネットワーク６９のサーバ側ではユーザＩＤによる照合処理、課金処理、ディスク情報からの音楽付加情報として、例えば曲のタイトル、アーティスト名、作曲家、作詞家、歌詞、ジャケットイメージ等の検索が行うことが可能になる。
【００６４】
そして、記録再生装置５０は、デコーダ７１を備えている。デコーダ７１は、ハードディスクドライブ６０に蓄積される上記エンコーダ６２によりエンコードされるオーディオ情報をデコードするように構成されている。このデコーダ７１によりデコードされた上記ハードディスクドライブ６０からのオーディオ情報は、Ｄ／Ａコンバータ７２及びアンプ７３を介してスピーカ７４から出力される。ここで、デコーダ７１のデコードアルゴリズムは、上記エンコーダ６２のエンコードアルゴリズムに対応するものとされている。
【００６５】
また、記録再生装置５０は、表示部７６及びこの表示部７６の駆動用の表示ドライバ７５を備えている。表示部７６は、例えば、液晶表示（Liquid Crystal Display；ＬＣＤ）部とされて構成されている。
【００６６】
上記表示ドライバ７５は、ハードディスクドライブ６０に蓄積されるオーディオ情報をユーザが管理、制御するためのインターフェースである。表示部７６は、各種情報を画像情報として表示する部分とされて、この表示ドライバ７５によって駆動されて各種情報を表示する。
【００６７】
そして、表示部７６は、マウス、ペン、ユーザの指で触れる等の入力手段５１としてのポインディングデバイスによって表示画面内に表示されるコマンド等が指定できるように構成されている。これにより、記録再生装置５０は、この表示部７６において指定されたオーディオ情報等を再生制御することができる。さらに、記録再生装置は５０、表示部７６により選択されたオーディオ情報の消去、外部機器へのコピー、移動等も制御可能とされる。
【００６８】
具体的には、表示部７６には、オーディオ情報に対応するフォルダ、或いはジャケットイメージが表示される。また、表示部７６は、光ディスクドライブ５９に装着されるメディアのＴＯＣ（table of contents）情報を基に、いわゆるインターネット上のＷＷＷ（world wide wed）サイトから検索された関連情報としてのｈｔｍｌ（hyper text markup language）文書がグラフィック表示されるように構成され、更に通常のインターネットブラウザとしても使用可能となっている。
【００６９】
また、記録再生装置５０は、ＩＥＥＥ１３９４インターフェース７８及びＩＥＥＥ１３９４ドライバーを備えている。記録再生装置５０は、このＩＥＥＥ１３９４インターフェース７８、ＩＥＥＥ１３９４ドライバーを介して、衛生放送用のＩＲＤ（integrated receiver/decoder）７７、ＭＤ（商標）、ＤＶＤ（商標）、ＤＶ等からオーディオ情報を取り込むことができるように構成されている。
【００７０】
さらに、記録再生装置５０は、ＰＣＭＣＩＡ（Personal Computer Memory Card International Association）ドライバ８０及びＰＣＭＣＩＡスロット８１を備えている。ＰＣＭＣＩＡドライバ８０を介して設けられているＰＣＭＣＩＡスロット３１は、ＰＣＭＣＩＡカード８２の装着部として構成されている。記録再生装置５０は、このＰＣＭＣＩＡカード８２の装着により、外部記憶装置、その他のメディアドライブ、モデム、ターミナルアダプタ、キャプチャボード等様々な周辺機器の拡張が容易とされる。
【００７１】
そして、記録再生装置５０は、Ｉ／Ｆドライバ８３及びＩ／Ｆ８４を備えている。記録再生装置５０は、このＩ／Ｆドライバ８３により、ハードディスクドライブ６０に蓄積されるオーディオ情報をＩ／Ｆ８４、他の記録再生装置のＩ／Ｆ８５を介して瞬時に当該他の記録再生装置にコピー、或いは移動することができる。具体的には、記録再生装置５０は、課金処理して得たオーディオ情報ファイルを他の記録再生装置にコピー或いは移動することができる。
【００７２】
このように構成された記録再生装置５０は、モデム７０により課金センタとの接続が可能とされ、当該課金センタとの間で課金処理を行うことができる。
【００７３】
すなわち、記録再生装置５０は、光ディスクドライブ５９に装着されている光ディスクの情報を高速でコピー或いは移動するときに、ＣＰＵ５８の判別部１１により課金処理が正常か否か判別する。そして、課金処理が正常であることを確認した場合に、記録再生装置５０は、光ディスクドライブ５９に装着されている光ディスクから情報を読み出し、ハードディスクドライブ６０に対して当該情報を記憶することができる。
【００７４】
そして、この記録再生装置５０は、ハードディスクドライブ６０に記憶されたオーディオ情報ファイルを他の記録再生装置にコピー或いは移動することができる。
次に、上記記録再生装置５０に接続される上記他の記録再生装置について説明する。本実施の形態において他の記録再生装置は、いわゆる携帯可能とされている記録再生装置（以下、携帯装置という。）であり、記録再生装置５０に設けられる装置部に装着されることにより当該記録再生装置５０と電気的に接続されるように構成されている。上記携帯装置は、具体的には、図５に示すように構成されている。
【００７５】
携帯装置１００は、Ｉ／Ｆドライバ１０１及び上記記録再生装置５０に接続される部分とされる上記Ｉ／Ｆ８５を備えている。すなわち、Ｉ／Ｆドライバ１０１のＩ／Ｆ８５には、上記記録再生装置５０のＩ／Ｆ８４が接続される。これにより、携帯装置１００は、上記記録再生装置５０の接続が可能とされる。
【００７６】
また、携帯装置１００は、当該携帯装置１００への入力部分とされる入力手段１０２を設けている。この入力手段１０２には、プッシュ式、回動式のキーが設けられている。なお、入力手段１０２は、いわゆるジョグダイヤルとされる回動プッシュ式のキーによって構成されるものであってもよい。これらの入力手段１０２は、操作されることによりバス１３０に当該操作に対応した制御信号を出力する。この入力手段１０２からバス１３０に送出される制御信号は、当該携帯装置１００の動作を制御するための信号である。
【００７７】
さらに、携帯装置１００は、ＲＡＭ１０３及びＲＯＭ１０４を備えている。ＲＯＭ１０４には、当該携帯装置１００が接続される上記記録再生装置５０と同様に、入力手段１０２が操作されることにより入力される入力信号に応じて携帯装置１００が制御されるようなプログラム等が記憶されている。また、ＲＡＭ１０３には、プログラムを実行する上でのデータ領域、タスク領域が一時的に確保されている。そして、ＣＰＵ１０５は、これらＲＯＭ１０３及びＲＡＭ１０４に記憶される各種データにより当該携帯装置１００全体の動作を制御している。
【００７８】
そして、携帯装置１００は、オーディオ情報を記憶するため等に用いるフラッシュＲＡＭ１０６及びオーディオ用ＤＲＡＭ１０７と、エンコード処理するエンコーダ１０８とを備えている。
【００７９】
ここで、フラッシュＲＡＭ１０６には、上述した記録再生装置５０からのオーディオ情報がコピー或いは移動される。具体的には、携帯装置１００が上記記録再生装置５０に接続された状態から、記録再生装置５０の表示部７６において外部機器へのコピー、或いは移動を選択することにより、この携帯装置１００のＩ／Ｆドライバ１０１を介して当該記録再生装置５０のハードディスクドライブ６０からエンコードされたオーディオ情報が当該携帯装置５０のフラッシュＲＡＭ１０６にコピー或いは移動される。
【００８０】
なお、携帯装置１００は、エンコードされたオーディオ情報を記録再生装置５０からコピー或いは移動されることに限定されない。すなわち、記録再生装置５０の光ディスクドライブ５９に装着されるメディアから読み出されるオーディオ情報が直接Ｉ／Ｆドライバ１０１を介して入力されてもよく、このときフラッシュＲＡＭ１０６にオーディオ情報が記憶される前処理として、オーディオ用ＤＲＡＭ１０７に一旦記憶されると共に、そのオーディオ情報がエンコーダ１０８によりエンコードされてオーディオ用ＤＲＡＭ１０７に再び一時記憶され、最終的にフラッシュＲＡＭ１０６にエンコードされたオーディオ情報として蓄積される。
【００８１】
さらに携帯装置１００は、外部入力のためのマイクロホン１０９、ライン入力のためのラインＩＮ１１１及び光ディジタル信号入力のための光ディジタルＩＮ１１３を備えている。そして、携帯装置１００は、上記エンコーダ１０８により、このマイクロホン１０９からアンプ１１０を介して入力されるオーディオ信号、或いはこのラインＩＮ１１１から入力されてＡ／Ｄコンバータ１１２を介して入力されるオーディオ信号をエンコードすることもできる。携帯装置１００は、さらにエンコーダ１０８により、光りディジタルＩＮ１１３からＩＥＣ９５８エンコーダ１１４を介して入力される光ディジタル信号もエンコードすることができる。
【００８２】
そして、携帯装置１００は、デコーダ１１５を備えている。デコーダ１１５は、フラッシュＲＡＭ１０６に蓄積されるエンコードされたオーディオ情報をデコードする部分である。このデコーダ１１５によりデコードされたオーディオ情報は、Ｄ／Ａコンバータ１１６、アンプ１１７を介してスピーカ１１８により出力される。
【００８３】
また、携帯装置１００は、上述した記録再生装置５０と同様に、表示部１２０及びこの表示部１２０を駆動するための表示ドライバ１１９を備えている。
【００８４】
上記表示部１２０は、例えば、液晶表示部とされており、バス１３０に表示ドライバ１１９を介して接続されている。表示部１２０には、オーディオ情報に対応するフォルダが表示されており、この表示部１２０は、表示される所定のオーディオ情報がマウス、ペン、ユーザの指で触れる等により選択可能になっている。この表示部１２０において選択されたオーディオ情報は、スピーカ１１８により出力再生されたり、フラッシュＲＡＭ１０６からの消去、外部機器、ここでは記録再生装置にコピー或いは移動等が行われる。
【００８５】
以上のように、携帯装置１００は構成されている。
【００８６】
次に、記録再生装置５０のハードディスクドライブ６０に記憶されているオーディオ情報ファイルが、記録再生装置５０の装着部に装着されている携帯装置１００に転送される際の動作フローについて図６を用いて詳細に説明する。すなわち、課金処理された後において、記録再生装置５０から携帯装置１００に当該課金処理済みのオーディオ情報を転送する場合である。
【００８７】
まず、ステップＳ２１において携帯装置１００が記録再生装置５０の装着部に装着されているか否かを検知する。ここで、検知は、例えば、メカ的なスイッチ機構、或いは信号の送受信等により接続を検知する。
【００８８】
記録再生装置５０に携帯装置１００が接続されていると判別されるとステップＳ２２により曲、すなわちオーディオ情報ファイルの携帯装置への移動の要求がユーザから指示されているか否かを判別する。具体的には表示部７６に表示されるオーディオ情報ファイルを示すフォルダのうち所定のポインティングデバイスにより選択されたオーディオ情報ファイルが携帯装置１００へ移動処理されることになる。
【００８９】
上述のような処理により曲の移動要求が有りと判別されると、ステップＳ２３において、指定されたオーディオ情報ファイルの容量を検出する。そして、続くステップＳ２４において、携帯装置１００の空き容量を検出し、当該検出した携帯装置１００の空き容量と当該携帯装置１００に移動処理されるオーディオ情報ファイルの容量を比較する。
【００９０】
ここで、空き容量が足りないと判別されると、ステップＳ２５において、携帯装置１００内に以前からあるオーディオ情報ファイルが自動的に削除される。例えば、携帯装置１００のフラッシュＲＡＭ１０６からのオーディオ情報ファイルの削除は、ユーザによる再生回数の少ないものを順に消去、記録された時期の日付の古いものから順に消去する等して行う。さらに、自動消去の際にユーザの許可なく消去されることにより重要なファイルが無断で消去されることもあり得ることを考慮して、例えば、記録再生装置５０の表示部７６及び携帯装置１００の表示部１２０にその警告を表示してユーザの確認を得ることができるように構成している。
【００９１】
そして、ステップＳ２４及びステップＳ２５の処理により携帯装置１００に所定のオーディオ情報ファイルが移動可能と判断されると、続くステップＳ２６において、記録再生装置５０のハードディスクドライブ６０からＩ／Ｆ３４，３５及びＩ／Ｆドライバ１０１を介して携帯装置１００のフラッシュＲＡＭ１０６にエンコードされた所定のオーディオ情報ファイルが転送される。
【００９２】
続く、ステップＳ２７において、記録再生装置５０のハードディスクドライブ６０に記録されているオーディオ情報ファイルに再生禁止フラグが立てられる。これにより、記録再生装置５０において、ハードディスクドライブ６０に記録されているオーディオ情報ファイルの再生が不可能になる。すなわち、所定のオーディオ情報ファイルは記録再生装置５０から携帯装置１００に仮想的に移動され、オーディオ情報ファイルは常に一つしか存在しないように管理され、不正コピーが防止される。
【００９３】
なお、記録再生装置５０のハードディスクドライブ６０に記録されているオーディオ情報ファイルに再生禁止フラグを立てることにより、当該記録再生装置５０におけるオーディオ情報ファイルの再生を禁止しているが、転送終了後にハードディスクドライブ６０に記録されているオーディオ情報ファイルを削除することにより、記録再生装置５０における当該転送したオーディオ情報ファイルの再生を禁止することもできる。
【００９４】
次に再びステップＳ２８において、曲の移動要求がユーザから出されているか判断し、移動要求有りの場合には上記ステップＳ２３の処理に戻り、移動要求無しとされた場合には当該処理を終了する。
【００９５】
以上のように、記録再生装置５０のハードディスクドライブ６０に記憶されているオーディオ情報ファイルが、記録再生装置５０の装着部に装着されている携帯装置１００に書き込まれる。
【００９６】
このように記録再生装置５０を構成することにより、課金処理を行うとともに、課金処理済みオーディオ情報を携帯装置１００に転送することができる。よって、記録再生装置５０及び携帯装置１００において、課金処理済みのオーディオ情報を再生することができる。
【００９７】
また、上記オーディオ情報は、記録再生装置５０或いは携帯装置５０の何れか一方においてのみ再生可能とされているので、記録再生装置５０或いは携帯装置１００において再生されるオーディオ情報は、不正なコピーに基づくものでないものとすることができる。
【００９８】
なお、上述した携帯装置１００は、上記図５を用いて説明した構成であることに限定されることはない。図７には、携帯装置１００のその変形例を示す。
【００９９】
変形例の携帯装置２００は、上述した携帯装置１００と同様に構成されている。なお、携帯装置２００において上述した携帯装置１００の同様に構成されている箇所については、同様の番号を付し、説明を省略する。
【０１００】
携帯装置２００は、スイッチ２０２を介してバス１３０に接続されているフラッシュＲＡＭ２０１を備えている。そして、携帯装置２００は、スイッチ２０１によりＩ／Ｆ８５とフラッシュＲＡＭ２０１との直接接続を可能にしている。上述した携帯装置１００とその変形例とされる携帯装置２００との差異は、このフラッシュＲＡＭ２０１の当該携帯装置２００における位置づけである。
【０１０１】
すなわち、図５の携帯装置１００においては、フラッシュＲＡＭ１０６がバス１３０に直接接続されており、フラッシュＲＡＭ１０６は携帯装置１００の回路から物理的な切り離しが不可能とされている。一方、図７に示す携帯装置２００においては、フラッシュＲＡＭ２０１は、スイッチ２０２によって、バスに電気的に接続されるように構成されている。すなわち、図７に示す携帯装置２００にあっては、スイッチ２０２の切り換えにより簡単にフラッシュＲＡＭ２０１がバス１３０に対して切り離しが可能とされており、これにより、外部の記録再生装置との接続が容易とされる。
【０１０２】
このようにスイッチ２０２を切り替えることにより、フラッシュＲＡＭ２０１は、Ｉ／Ｆ８５を介して記録再生装置５０の記憶部の一つとして構成されるようになり、すなわち、記録再生装置５０のＣＰＵ５８によりフラッシュＲＡＭ２０１の制御が可能とされるような回路構成とされている。
【０１０３】
なお、上記記録再生装置５０において、光ディスクドライブ５９が情報を読み出す対象を光ディスクとしているが、情報を読み出す対象を光磁気ディスク、メモリカード等であってもかまわない。
【０１０４】
また、上記記録再生装置５０において、エンコーダ６２のエンコードアルゴリズムは情報圧縮されるエンコードアルゴリズムであればよく、よって、例えば、エンコードアルゴリズムをＴｗｉｎＶＱ（商標）、ＲｅａｌＡｕｄｉｏ（商標）、ＬｉｑｕｉｄＡｕｄｉｏ（商標）等として構成することもできる。
【０１０５】
さらに、上記記録再生装置５０では、エンコーダ６２によりエンコードされたオーディオ情報がハードディスクドライブ６０に蓄積されるように構成されているが、光ディスクドライブ５９から読み出される情報がそのままハードディスクドライブ６０に蓄積されるようにしてもかまわない。
【０１０６】
そして、上記記録再生装置５０は、ユーザがリクエストする曲情報が直接外部ネットワーク６９からダウンロードされるように構成することもでき、メディア情報に対応して曲情報が返信されるように構成して所定のメディアのボーナストラックが配信により取得されるように構成することもできる。
【０１０７】
また、上記記録再生装置５０は、携帯装置１００にデータの送受信が行うと共に、当該携帯装置１００に充電されるような充電部を備えることもできる。
【０１０８】
また、携帯装置１００においては、フラッシュＲＡＭ１０６をハードディスクドライブに代用することもできる。
【０１０９】
さらに、上記携帯装置１００は、記録再生装置５０の装着部に物理的に装着されることにより記録再生装置５０との送受信が可能とされているが、非接触型のＩ／Ｆによって接続されてもよく、例えばＩｒＤＡ等を用いることで可能になる。
【０１１０】
【発明の効果】
本発明に係る記録再生装置は、本体に設けられる装着部に装着される記録媒体から読み出し手段により読み出された情報を、記憶手段に記憶する際の記録速度を検出手段により検出する。さらに、記録再生装置は、検出手段に応じて課金処理を行う課金手段により正常に課金処理されたか否かを課金判別手段により判別する。そして、記録再生装置は、検出手段の検出結果により課金手段による課金処理が必要であると判別されると共に上記課金判別手段により課金処理が異常終了と判別されると、記録禁止手段により、読み出し手段により読み出された情報の記憶手段への記録を禁止する。
【０１１１】
これにより、記録再生装置は、記録速度に応じて課金処理を行うことができ、さらに、課金処理が正常に行われなかった場合には、記憶媒体から記憶手段への情報の記録を禁止する。
【０１１２】
また、本発明に係る記録再生方法は、本体に設けられる装着部に装着される記録媒体から読み出し工程において読み出された情報を、記憶工程において記憶する際の記録速度を検出工程において検出する。さらに、記録再生方法は、検出工程の検出結果に応じて課金処理を行う課金工程において正常に課金処理されたか否かを課金判別工程により判別する。そして、記録再生方法は、検出工程の検出結果により課金工程における課金処理が必要であると判別されると共に上記課金判別工程により課金処理が異常終了と判別されると、記録禁止工程において、読み出し工程により読み出された情報の記憶工程における記録を禁止する。
【０１１３】
これにより、記録再生方法は、記録速度に応じて課金処理を行うことができ、さらに、課金処理が正常に行われなかった場合には、記憶媒体から記憶手段への情報の記録を禁止することができる。
【０１１４】
また、本発明に係る記録再生システムは、本体に設けられる装着部に装着される記録媒体から読み出し手段により読み出された情報を、記憶手段に記憶する際の記録速度を検出手段により検出する。さらに、記録再生システムは、検出手段に応じて本体に対して遠隔地に設置されている課金センタに対する課金処理を行う課金手段により正常に課金処理されたか否かを課金判別手段により判別する。そして、記録再生システムは、検出手段の検出結果により課金手段による課金処理が必要であると判別されると共に上記課金判別手段により課金処理が異常終了と判別されると、記録禁止手段により、読み出し手段により読み出された情報の記憶手段への記録を禁止する。
【０１１５】
これにより、記録再生システムは、記録速度に応じて課金センタとの間で課金処理を行うことができ、さらに、課金センタとの間で課金処理が正常に行われなかった場合には、記憶媒体から記憶手段への情報の記録を禁止することができる。
【図面の簡単な説明】
【図１】本発明の実施の形態である記録再生装置の構成を示すブロック回路図である。
【図２】上記記録再生装置によって行う課金処理の一連の工程を示すフローチャートである。
【図３】上記記録再生装置によって行う課金処理の一連の工程において、課金処理が正常に行われているか否かを判別する手順の詳細を示すフローチャートである。
【図４】上記記録再生装置よりもさらに具体的な例とされた本発明の実施の形態である記録再生装置である。
【図５】上記さらに具体的な例とされた記録再生装置に装着される携帯装置の構成を示すブロック回路図である。
【図６】上記さらに具体的な例とされた記録再生装置から上記携帯装置にオーディオ情報を転送する一連の手順を示すフローチャートである。
【図７】上記携帯装置の変形例とされる携帯装置の構成を示すブロック回路図である。
【符号の説明】
１  記録再生装置、３  装着部、４  読み出し部、５  記憶部、６  課金処理部、７  検出部、８  課金判別手段、１２  記録禁止手段
【図１】
0003937559.tif 000002
【図２】
0003937559.tif 000003
【図３】
0003937559.tif 000004
【図４】
0003937559.tif 000005
【図５】
0003937559.tif 000006
【図６】
0003937559.tif 000007
【図７】
0003937559.tif 000008